【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
着用者の手を収容するための開口部を含むグローブ部材と、
該グローブ部材に係合する閉鎖システムであって、該開口部の第一の側面において係合するファスナの第一の部分、および該開口部の第二の側面において係合する該ファスナの第二の部分を含む、フラップ構成要素を含む、閉鎖システムと、
外周を含むベース部材であって、該フラップ構成要素に係合する、ベース部材と、
該ベース部材の該外周にまたはその内側に位置する第一のベース面を画定する装着区域であって、（a）該装着区域が、磁石または強磁性材料を収容するための第一の収容体（receptacle）を画定すること、（b）該装着区域が磁石から少なくとも部分的に作製されること、および（c）該装着区域が強磁性材料から少なくとも部分的に作製されること、からなる群より選択される少なくとも一つの特徴を含む、装着区域と、
該第一のベース面の上方の該装着区域から伸びかつ該ベース部材の該外周にまたはその内側に位置する、少なくとも二つの保持壁であって、該保持壁の内面および該第一のベース面が内周を有するゴルフボールマーカー収容体を画定する、保持壁と、
該ゴルフボールマーカー収容体に取り外し可能に収容可能であるゴルフボールマーカーであって、該ゴルフボールマーカーが外周を有し、該保持壁の該内面の全周囲長合計が該ゴルフボールマーカーの該外周の50%未満にわたり、該第一のベース面が、該内周の内部区域の全体未満に広がる平面部を含み、したがって該平面部が該内周の少なくともいくらかの部分に広がらず、かつ該ゴルフボールマーカーが磁力によって該装着区域に取り外し可能に固定可能である、ゴルフボールマーカーと
を含む、ゴルフグローブ。
【請求項２】
着用者の手を収容するための開口部を含むグローブ部材と、
該グローブ部材に係合する閉鎖システムであって、該開口部の第一の側面において係合するファスナの第一の部分、および該開口部の第二の側面において係合する該ファスナの第二の部分を含む、フラップ構成要素を含む、閉鎖システムと、
外周およびフランジを含むベース部材であって、該フラップ構成要素に係合する、ベース部材と、
該ベース部材の該外周にまたはその内側に位置する第一のベース面を画定する装着区域であって、（a）該装着区域が、磁石または強磁性材料を収容するための第一の収容体を画定すること、（b）該装着区域が磁石から少なくとも部分的に作製されること、および（c）該装着区域が強磁性材料から少なくとも部分的に作製されること、からなる群より選択される少なくとも一つの特徴を含む、装着区域と、
該第一のベース面の上方の該装着区域から伸びかつ該ベース部材の該外周にまたはその内側に位置する、少なくとも二つの保持壁であって、該保持壁の内面および該第一のベース面が内周を有するゴルフボールマーカー収容体を画定し、かつ該ベース部材のフランジが少なくとも二つの保持壁の外側に伸びかつ該フラップ構成要素の下部に隣接して位置し、該フランジがそこを通じて画定された少なくとも一つの開口部を含み、該少なくとも一つの開口部が該フランジの外周に隣接して細長く伸びる、保持壁と、
該ゴルフボールマーカー収容体に取り外し可能に収容可能であるゴルフボールマーカーであって、該ゴルフボールマーカーが外周を有し、少なくとも二つの保持壁が該ゴルフボールマーカーの外周の周りに分散しかつ該ゴルフボールマーカーの外周の周りに密接に嵌合されるように位置し、該保持壁の該内面の全周囲長合計が該ゴルフボールマーカーの該外周の50%未満にわたり、該第一のベース面が、該内周の内部区域の全体未満に広がる平面部を含み、したがって該平面部が該内周の少なくともいくらかの部分に広がらず、かつ該ゴルフボールマーカーが磁力によって該装着区域に取り外し可能に固定可能である、ゴルフボールマーカーと
を含む、ゴルフグローブ。
【請求項３】
着用者の手を収容するための開口部を含むグローブ部材と、
該グローブ部材に係合する閉鎖システムであって、該開口部の第一の側面において係合するファスナの第一の部分、および該開口部の第二の側面において係合する該ファスナの第二の部分を含む、フラップ構成要素を含む、閉鎖システムと、
外周およびフランジを含むベース部材であって、該ベース部材が該フラップ構成要素に係合し、該ベース部材が可撓性ポリマー材料から形成され、該フランジがそこを通じて画定された複数の開口部を含み、該複数の開口部が該フランジの外周に隣接して細長く伸び、かつ該フランジが該ベース部材の下部分を形成する、ベース部材と、
該ベース部材の該外周にまたはその内側に位置する第一のベース面を画定する装着区域であって、（a）該装着区域が、磁石または強磁性材料を収容するための第一の収容体を画定すること、（b）該装着区域が磁石から少なくとも部分的に作製されること、および（c）該装着区域が強磁性材料から少なくとも部分的に作製されること、からなる群より選択される少なくとも一つの特徴を含む、装着区域と、
該第一のベース面の上方の該装着区域から伸びかつ該ベース部材の該外周にまたはその内側に位置する、少なくとも二つの保持壁であって、該保持壁の内面および該第一のベース面が内周を有するゴルフボールマーカー収容体を画定し、かつ該ベース部材のフランジが少なくとも二つの保持壁の外側に伸びかつ該フラップ構成要素によって提供されるファスナーの第一の部分に隣接して位置する、保持壁と、
該ゴルフボールマーカー収容体に取り外し可能に収容可能であるゴルフボールマーカーであって、該ゴルフボールマーカーが外周を有し、少なくとも二つの保持壁が該ゴルフボールマーカーの外周の周りに分散しかつ該ゴルフボールマーカーの外周の周りに密接に嵌合されるように位置し、該保持壁の該内面の全周囲長合計が該ゴルフボールマーカーの該外周の40%未満にわたり、該第一のベース面が、該内周の内部区域の全体未満に広がる平面部を含み、したがって該平面部が該内周の少なくともいくらかの部分に広がらず、かつ該ゴルフボールマーカーが磁力によって該装着区域に取り外し可能に固定可能である、ゴルフボールマーカーと
を含む、ゴルフグローブ。
【請求項４】
ベース部材および装着区域が一体型1ピース構成として形成される、請求項1〜3のいずれか一項記載のゴルフグローブ。
【請求項５】
ベース部材、装着区域および少なくとも二つの保持壁が一体型1ピース構成として形成される、請求項1〜3のいずれか一項記載のゴルフグローブ。
【請求項６】
貫通孔がベース部材を通じて画定され、かつ該貫通孔の少なくとも大部分が、少なくとも二つの保持壁によって画定される区域の内側に位置する、請求項1〜3のいずれか一項記載のゴルフグローブ。
【請求項７】
少なくとも二つの保持壁が第一の保持壁および第二の保持壁を含み、該第一の保持壁の内面が、装着区域の第一のベース面が貫通孔に隣接する第一の位置をまたぎ、かつ該第二の保持壁の内面が、該装着区域の該第一のベース面が該貫通孔に隣接する第二の位置をまたぐ、請求項6記載のゴルフグローブ。
【請求項８】
装着区域が第一の収容体を画定する、請求項1〜3のいずれか一項記載のゴルフグローブ。
【請求項９】
第一の収容体に装着された磁石をさらに含む、請求項8記載のゴルフグローブ。
【請求項１０】
第一の収容体およびゴルフボールマーカー収容体が共通軸に中心を置く、請求項8記載のゴルフグローブ。
【請求項１１】
ベース部材が、少なくとも二つの保持壁の外側に位置するフランジを含む、請求項1記載のゴルフグローブ。
【請求項１２】
フランジが、そこを通じて画定された少なくとも一つの開口部を含む、請求項11記載のゴルフグローブ。
【請求項１３】
保持壁の内面の全周囲長合計がゴルフボールマーカーの外周の40%未満にわたる、請求項1または請求項2記載のゴルフグローブ。
【請求項１４】
保持壁の内面の全周囲長合計がゴルフボールマーカーの外周の30%未満にわたる、請求項1〜3のいずれか一項記載のゴルフグローブ。
【請求項１５】
少なくとも二つの保持壁が少なくとも四つの保持壁を含む、請求項1〜3のいずれか一項記載のゴルフグローブ。
【請求項１６】
ベース部材が可撓性ポリマー材料から形成される、請求項1〜3のいずれか一項1記載のゴルフグローブ。
【請求項１７】
少なくとも二つの保持壁が少なくとも四つの保持壁を含み、かつ該四つの保持壁の内面の全周囲長合計がゴルフボールマーカーの外周の40%未満にわたる、請求項1〜3のいずれか一項記載のゴルフグローブ。
【手続補正２】
【補正対象書類名】明細書
【補正対象項目名】００１２
【補正方法】変更
【補正の内容】
【００１２】
この種類の閉鎖システムは、面ファスナ要素によって固定、係合または閉鎖される、衣料品、履物、スポーツ用具、バッグ、容器および／または他の物体を含む他の種類の物体上に含まれうる。
[本発明1001]
着用者の手を収容するための開口部を含むグローブ部材と、
該グローブ部材に係合する閉鎖システムであって、該開口部の第一の側面において係合するファスナの第一の部分、および該開口部の第二の側面において係合する該ファスナの第二の部分を含む、フラップ構成要素を含む、閉鎖システムと、
外周を含むベース部材であって、該フラップ構成要素に係合するベース部材と、
該ベース部材の該外周にまたはその内側に位置する第一のベース面を画定する装着区域であって、（a）該装着区域が、磁石または強磁性材料を収容するための第一の収容体（receptacle）を画定すること、（b）該装着区域が磁石から少なくとも部分的に作製されること、および（c）該装着区域が強磁性材料から少なくとも部分的に作製されること、からなる群より選択される少なくとも一つの特徴を含む、装着区域と、
該第一のベース面の上方の該装着区域から伸びかつ該ベース部材の該外周にまたはその内側に位置する、少なくとも二つの保持壁であって、該保持壁の内面および該第一のベース面がゴルフボールマーカー収容体を画定する、保持壁と、
該ゴルフボールマーカー収容体に取り外し可能に収容可能であるゴルフボールマーカーであって、該ゴルフボールマーカーが外周を有し、該保持壁の該内面の全周囲長合計が該ゴルフボールマーカーの該外周の50%未満にわたり、該第一のベース面が、該内周の内部区域の全体未満に広がる平面部を含み、したがって該平面部が該内周の少なくともいくらかの部分に広がらず、かつ該ゴルフボールマーカーが磁力によって該装着区域に取り外し可能に固定可能である、ゴルフボールマーカーと
を含む、ゴルフグローブ。
[本発明1002]
ベース部材および装着区域が一体型1ピース構成として形成される、本発明1001のゴルフグローブ。
[本発明1003]
ベース部材、装着区域および少なくとも二つの保持壁が一体型1ピース構成として形成される、本発明1001のゴルフグローブ。
[本発明1004]
貫通孔がベース部材を通じて画定され、かつ該貫通孔の少なくとも大部分が、少なくとも二つの保持壁によって画定される区域の内側に位置する、本発明1001のゴルフグローブ。
[本発明1005]
少なくとも二つの保持壁が第一の保持壁および第二の保持壁を含み、該第一の保持壁の内面が、装着区域の第一のベース面が貫通孔に隣接する第一の位置をまたぎ、かつ該第二の保持壁の内面が、該装着区域の該第一のベース面が該貫通孔に隣接する第二の位置をまたぐ、本発明1004のゴルフグローブ。
[本発明1006]
装着区域が第一の収容体を画定する、本発明1001のゴルフグローブ。
[本発明1007]
第一の収容体に装着された磁石をさらに含む、本発明1006のゴルフグローブ。
[本発明1008]
第一の収容体およびゴルフボールマーカー収容体が共通軸に中心を置く、本発明1006のゴルフグローブ。
[本発明1009]
ベース部材が、少なくとも二つの保持壁の外側に位置するフランジを含む、本発明1001のゴルフグローブ。
[本発明1010]
フランジが、そこを通じて画定された少なくとも一つの開口部を含む、本発明1009のゴルフグローブ。
[本発明1011]
保持壁の内面の全周囲長合計がゴルフボールマーカーの外周の40%未満にわたる、本発明1001のゴルフグローブ。
[本発明1012]
保持壁の内面の全周囲長合計がゴルフボールマーカーの外周の30%未満にわたる、本発明1001のゴルフグローブ。
[本発明1013]
少なくとも二つの保持壁が少なくとも四つの保持壁を含む、本発明1001のゴルフグローブ。
[本発明1014]
ベース部材が可撓性ポリマー材料から形成される、本発明1001のゴルフグローブ。
[本発明1015]
ゴルフ用具ベース構成要素と、
外周を含むベース部材であって、該ゴルフ用具ベース構成要素に係合するベース部材と、
該ベース部材の該外周にまたはその内側に位置する第一のベース面を画定する装着区域であって、（a）該装着区域が、磁石または強磁性材料を収容するための第一の収容体を画定すること、（b）該装着区域が磁石から少なくとも部分的に作製されること、および（c）該装着区域が強磁性材料から少なくとも部分的に作製されること、からなる群より選択される少なくとも一つの特徴を含む、装着区域と、
該第一のベース面の上方の該装着区域から伸びかつ該ベース部材の該外周にまたはその内側に位置する、少なくとも二つの保持壁であって、該保持壁の内面および該第一のベース面がゴルフボールマーカー収容体を画定する、保持壁と、
該ゴルフボールマーカー収容体に取り外し可能に収容可能であるゴルフボールマーカーであって、該ゴルフボールマーカーが外周を有し、該保持壁の該内面の全周囲長合計が該ゴルフボールマーカーの該外周の50%未満にわたり、該第一のベース面が、該ゴルフボールマーカー収容体の内部区域の全体未満に広がる平面部を含み、したがって該平面部が該ゴルフボールマーカー収容体の外縁の少なくともいくらかの部分に広がらず、かつ該ゴルフボールマーカーが磁力によって該装着区域に取り外し可能に固定可能である、ゴルフボールマーカーと
を含む、ゴルフ用具。
[本発明1016]
ゴルフ用具ベース構成要素がディボット修復ツールである、本発明1015のゴルフ用具。
[本発明1017]
ゴルフ用具ベース構成要素がゴルフグローブである、本発明1015のゴルフ用具。
[本発明1018]
外周を含むベース部材と、
該ベース部材の該外周にまたはその内側に位置する第一のベース面を画定する装着区域であって、（a）該装着区域が、磁石または強磁性材料を収容するための第一の収容体を画定すること、（b）該装着区域が磁石から少なくとも部分的に作製されること、および（c）該装着区域が強磁性材料から少なくとも部分的に作製されること、からなる群より選択される少なくとも一つの特徴を含む、装着区域と、
該第一のベース面の上方の該装着区域から伸びかつ該ベース部材の該外周にまたはその内側に位置する、少なくとも二つの保持壁であって、該保持壁の内面および該第一のベース面が、磁力によって解除可能に保持されるゴルフボールマーカーを収容するための、内周を有するゴルフボールマーカー収容体を画定し、該内周の周りの該保持壁の該内面の全周囲長合計が該内周の全長の50%未満であり、かつ該第一のベース面が、該内周の内部区域の全体未満に広がる平面部を含み、したがって該平面部が該内周の少なくともいくらかの部分に広がらない、保持壁と
を含む、ゴルフボールマーカーを保持するためのハウジング。
[本発明1019]
外周を含むベース部材と、
該ベース部材の該外周にまたはその内側に位置する第一のベース面を画定する装着区域であって、（a）該装着区域が、磁石または強磁性材料を収容するための第一の収容体を画定すること、（b）該装着区域が磁石から少なくとも部分的に作製されること、および（c）該装着区域が強磁性材料から少なくとも部分的に作製されること、からなる群より選択される少なくとも一つの特徴を含む、装着区域と、
該第一のベース面の上方の該装着区域から伸びかつ該ベース部材の該外周にまたはその内側に位置する、少なくとも二つの保持壁であって、該保持壁の内面および該第一のベース面がゴルフボールマーカー収容体を画定する、保持壁と、
該ゴルフボールマーカー収容体に取り外し可能に収容可能であるゴルフボールマーカーであって、該ゴルフボールマーカーが外周を有し、該保持壁の該内面の全周囲長合計が該ゴルフボールマーカーの該外周の50%未満にわたり、該第一のベース面が、該ゴルフボールマーカー収容体の内部区域の全体未満に広がる平面部を含み、したがって該平面部が該ゴルフボールマーカー収容体の外縁の少なくともいくらかの部分に広がらず、かつ該ゴルフボールマーカーが磁力によって該装着区域に取り外し可能に固定可能である、ゴルフボールマーカーと
を含む、ゴルフボールマーカー組立体。
[本発明1020]
衣料品と、
該衣料品に係合する、外周を含むベース部材と、
該ベース部材の該外周にまたはその内側に位置する第一のベース面を画定する装着区域であって、（a）該装着区域が、磁石または強磁性材料を収容するための第一の収容体を画定すること、（b）該装着区域が磁石から少なくとも部分的に作製されること、および（c）該装着区域が強磁性材料から少なくとも部分的に作製されること、からなる群より選択される少なくとも一つの特徴を含む、装着区域と、
該第一のベース面の上方の該装着区域から伸びかつ該ベース部材の該外周にまたはその内側に位置する、少なくとも二つの保持壁であって、該保持壁の内面および該第一のベース面がゴルフボールマーカー収容体を画定する、保持壁と、
該ゴルフボールマーカー収容体に取り外し可能に収容可能であるゴルフボールマーカーであって、該ゴルフボールマーカーが外周を有し、該保持壁の該内面の全周囲長合計が該ゴルフボールマーカーの該外周の50%未満にわたり、該第一のベース面が、該ゴルフボールマーカー収容体の内部区域の全体未満に広がる平面部を含み、したがって該平面部が該ゴルフボールマーカー収容体の外縁の少なくともいくらかの部分に広がらず、かつ該ゴルフボールマーカーが磁力によって該装着区域に取り外し可能に固定可能である、ゴルフボールマーカーと
を含む、ゴルフ衣料。
[本発明1021]
衣料品が帽子またはバイザーである、本発明1020のゴルフ衣料。
[本発明1022]
ベース部材が帽子またはバイザーのバイザー構成要素に装着されている、本発明1021のゴルフ衣料。
[本発明1023]
衣料品がズボンである、本発明1020のゴルフ衣料。
[本発明1024]
ベース部材がズボンのポケット縁の位置に装着されている、本発明1023のゴルフ衣料。
[本発明1025]
衣料品が靴である、本発明1020のゴルフ衣料。
[本発明1026]
ベース部材が靴の舌革部に装着されている、本発明1025のゴルフ衣料。
[本発明1027]
衣料品がベルトである、本発明1020のゴルフ衣料。
[本発明1028]
衣料品がベルトのバックルである、本発明1027のゴルフ衣料。
[本発明1029]
外周を含むベース部材と、
該ベース部材の該外周にまたはその内側に位置する第一のベース面を画定する装着区域であって、（a）該装着区域が、磁石または強磁性材料を収容するための第一の収容体を画定すること、（b）該装着区域が磁石から少なくとも部分的に作製されること、および（c）該装着区域が強磁性材料から少なくとも部分的に作製されること、からなる群より選択される少なくとも一つの特徴を含む、装着区域と、
該第一のベース面の上方の該装着区域から伸びかつ該ベース部材の該外周にまたはその内側に位置する、少なくとも二つの保持壁であって、該保持壁の内面および該第一のベース面が、磁力によって保持される解除可能部材を収容するための、内周を有する解除可能部材収容体を画定し、該内周の周りの該保持壁の該内面の全周囲長合計が該内周の全長の50%未満であり、かつ該第一のベース面が、該内周の内部区域の全体未満に広がる平面部を含み、したがって該平面部が該内周の少なくともいくらかの部分に広がらない、保持壁と
を含む、解除可能磁気固定システム用のハウジング。
[本発明1030]
外周を含むベース部材と、
該ベース部材の該外周にまたはその内側に位置する第一のベース面を画定する装着区域であって、（a）該装着区域が、磁石または強磁性材料を収容するための第一の収容体を画定すること、（b）該装着区域が磁石から少なくとも部分的に作製されること、および（c）該装着区域が強磁性材料から少なくとも部分的に作製されること、からなる群より選択される少なくとも一つの特徴を含む、装着区域と、
該第一のベース面の上方の該装着区域から伸びかつ該ベース部材の該外周にまたはその内側に位置する、少なくとも二つの保持壁であって、該保持壁の内面および該第一のベース面がコネクタ収容体を画定する、保持壁と、
該コネクタ収容体に取り外し可能に収容可能であるコネクタ構成要素であって、該コネクタ構成要素が外周を有し、該保持壁の該内面の全周囲長合計が該コネクタ構成要素の該外周の50%未満にわたり、該第一のベース面が、該コネクタ収容体の内部区域の全体未満に広がる平面部を含み、したがって該平面部が該コネクタ収容体の外縁の少なくともいくらかの部分に広がらず、かつ該コネクタ構成要素が磁力によって該装着区域に取り外し可能に固定可能である、コネクタ構成要素と
を含む、解除可能磁気固定組立体。